(57)【要約】【課題】第１状態から第２状態に切り替える場合でも、ノイズに起因する音がユーザに聞かれる可能性を低くした無線端末装置を提供する。【解決手段】無線端末装置は、第１音声パスからのデジタル音声信号を他の装置に伝送する第１状態と、第２音声パスからのデジタル音声信号を他の装置に伝送する第２状態とをハードウェアで切り替える切替部を備える。無線端末装置は、切替部により第１状態から第２状態へ切り替えるときに、第１音声パスからのデジタル音声信号及び第２音声パスからのデジタル音声信号の双方を無音の信号とする。【選択図】図６
2015019331.tif 000002
【特許請求の範囲】
【請求項１】
第１音声パスからのデジタル音声信号を他の装置に伝送する第１状態と、第２音声パスからのデジタル音声信号を前記他の装置に伝送する第２状態とをハードウェアで切り替える切替部を備える無線端末装置であって、
前記無線端末装置は、前記切替部により前記第１状態から前記第２状態へ切り替えるときに、前記第１音声パスからのデジタル音声信号及び前記第２音声パスからのデジタル音声信号の双方を無音の信号とする
無線端末装置。
【請求項２】
第１音声パスからのデジタル音声信号を他の装置に伝送する第１状態と、第２音声パスからのデジタル音声信号を前記他の装置に伝送する第２状態とをハードウェアで切り替える切替部を備える無線端末装置であって、
前記無線端末装置は、前記切替部により前記第１状態から前記第２状態へ切り替えるときに、前記第１音声パスからのデジタル音声信号及び前記第２音声パスからのデジタル音声信号の双方を予め定められた音信号とする
無線端末装置。
【発明の詳細な説明】
【技術分野】
【０００１】
本発明は、無線端末装置に関する。
【背景技術】
【０００２】
無線端末装置には、第１の通信方式により無線通信を行う第１通信部と、第１の通信方式とは異なる第２の通信方式により無線通信を行う第２通信部と、を備えるタイプがある。
【先行技術文献】
【特許文献】
【０００３】
【特許文献１】特許第５１０６６９６号公報
【発明の概要】
【発明が解決しようとする課題】
【０００４】
無線端末装置は、第１の通信部で無線通信を行うことにより受信した信号を他の装置に伝送する第１状態と、第２の通信部で無線信号を行うことにより受信した信号を他の装置に伝送する第２状態と、を備える場合がある。無線端末装置では、第１状態から第２状態へ切り替えるための切替部をハードウェアにより実現する場合に、第１状態から第２状態への切り替えに伴って音声信号にノイズが含まれる可能性がある。
【０００５】
本発明は、第１状態から第２状態に切り替える場合でも、ノイズに起因する音がユーザに聞かれる可能性を低くした無線端末装置を提供することを目的とする。
【課題を解決するための手段】
【０００６】
本発明は、第１音声パスからのデジタル音声信号を他の装置に伝送する第１状態と、第２音声パスからのデジタル音声信号を前記他の装置に伝送する第２状態とをハードウェアで切り替える切替部を備える無線端末装置であって、前記無線端末装置は、前記切替部により前記第１状態から前記第２状態へ切り替えるときに、前記第１音声パスからのデジタル音声信号及び前記第２音声パスからのデジタル音声信号の双方を無音の信号とする無線端末装置に関する。
【０００７】
また、本発明は、第１音声パスからのデジタル音声信号を他の装置に伝送する第１状態と、第２音声パスからのデジタル音声信号を前記他の装置に伝送する第２状態とをハードウェアで切り替える切替部を備える無線端末装置であって、前記無線端末装置は、前記切替部により前記第１状態から前記第２状態へ切り替えるときに、前記第１音声パスからのデジタル音声信号及び前記第２音声パスからのデジタル音声信号の双方を予め定められた音信号とする無線端末装置に関する。
【発明の効果】
【０００８】
本発明によれば、第１状態から第２状態に切り替える場合でも、ノイズに起因する音がユーザに聞かれる可能性を低くした無線端末装置を提供することができる。
【図面の簡単な説明】
【０００９】
【図１】一実施形態に係るスマートフォンの外観を示す斜視図である。
【図２】スマートフォンの外観を示す正面図である。
【図３】スマートフォンの外観を示す背面図である。
【図４】スマートフォンのホーム画面の一例を示す図である。
【図５】スマートフォンの機能を示すブロック図である。
【図６】スマートフォンの詳細な機能を示すブロック図である。
【図７】デジタル音声信号を無音の信号とする場合の一例について説明するための図である。
【発明を実施するための形態】
【００１０】
本発明を実施するための一実施形態を、図面を参照しつつ詳細に説明する。
以下では、無線端末装置の一例として、スマートフォンについて説明する。
【００１１】
図１から図３を参照しながら、実施形態に係るスマートフォン１の外観について説明する。図１から図３に示すように、スマートフォン１は、ハウジング２０を有する。ハウジング２０は、フロントフェース１Ａと、バックフェース１Ｂと、サイドフェース１Ｃ１〜１Ｃ４とを有する。フロントフェース１Ａは、ハウジング２０の正面である。バックフェース１Ｂは、ハウジング２０の背面である。サイドフェース１Ｃ１〜１Ｃ４は、フロントフェース１Ａとバックフェース１Ｂとを接続する側面である。以下では、サイドフェース１Ｃ１〜１Ｃ４を、どの面であるかを特定することなく、サイドフェース１Ｃと総称することがある。
【００１２】
スマートフォン１は、タッチスクリーンディスプレイ２と、ボタン３Ａ〜３Ｃと、照度センサ４と、近接センサ５と、レシーバ７と、マイク８と、カメラ１２とをフロントフェース１Ａに有する。スマートフォン１は、カメラ１３をバックフェース１Ｂに有する。スマートフォン１は、ボタン３Ｄ〜３Ｆと、外部インタフェース１４とをサイドフェース１Ｃに有する。以下では、ボタン３Ａ〜３Ｆを、どのボタンであるかを特定することなく、ボタン３と総称することがある。
【００１３】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００１４】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００１５】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００１６】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１７】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００１８】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００１９】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２０】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２１】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２２】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００２３】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２４】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２５】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップを検出すると、メールアプリケーションを実行する。ここで、スマートフォン１は、例えば、タッチスクリーンディスプレイ２に対するアイコン５０の表示位置（領域）に対応する位置（領域）へのジェスチャを、アイコン５０に対応付けられたアプリケーションの実行命令であると解釈する。
【００２６】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って任意の画像が壁紙４１として決定される。
【００２７】
スマートフォン１は、ホーム画面の数を増減することができる。スマートフォン１は、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００２８】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００２９】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００３０】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００３１】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０とは別の画面でも設けられることがある。領域４２が設けられる位置は、ディスプレイ２Ａの上端に限られない。
【００３２】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００３３】
図５は、スマートフォン１の構成を示すブロック図である。スマートフォン１は、タッチスクリーンディスプレイ２と、ボタン３と、照度センサ４と、近接センサ５と、第１通信ユニット６Ａと、第２通信ユニット６Ｂと、レシーバ７と、マイク８と、ストレージ９と、第１コントローラ１０と、カメラ１２及び１３と、外部インタフェース１４と、加速度センサ１５と、方位センサ１６と、回転検出センサ１７と、音声処理部１８と、第１スイッチ１９と、アンプ６０と、ＤＳＰ（Ｄｉｇｉｔａｌ  Ｓｉｇｎａｌ  Ｐｒｏｃｅｓｓｏｒ）７０とを有する。
【００３４】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３５】
ボタン３は、利用者によって操作される。ボタン３は、ボタン３Ａ〜ボタン３Ｆを有する。第１コントローラ１０はボタン３と協働することによってボタンに対する操作を検出する。ボタンに対する操作は、例えば、クリック、ダブルクリック、プッシュ、及びマルチプッシュである。
【００３６】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００３７】
照度センサ４は、照度を検出する。例えば、照度とは、光の強さ、明るさ、輝度等である。照度センサ４は、例えば、ディスプレイ２Ａの輝度の調整に用いられる。
【００３８】
近接センサ５は、近隣の物体の存在を非接触で検出する。近接センサ５は、例えば、タッチスクリーンディスプレイ２が顔に近付けられたことを検出する。
【００３９】
第１通信ユニット６Ａ及び第２通信ユニット６Ｂは、無線により通信する。
第１通信ユニット６Ａによって用いられる第１の通信方式は、無線通信規格である。例えば、第１の通信方式の無線通信規格として、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００等がある。他には、例えば、第１の通信方式の無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。第１通信ユニット６Ａは、上述した通信規格の１つ又は複数をサポートしていてもよい。
【００４０】
第２通信ユニット６Ｂによって用いられる第２の通信方式は、第１の通信方式と異なる通信方式であり、無線通信規格である。例えば、第２の通信方式の無線通信規格として、２Ｇ等のセルラーフォンの通信規格がある。例えば、セルラーフォンの通信規格としては、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。第２通信ユニット６Ｂは、上述した通信規格の１つ又は複数をサポートしていてもよい。
【００４１】
音声入出力部としてのレシーバ７とマイク８とは、第１スイッチ１９を介して音声処理部１８に接続されている。
レシーバ７は、音声処理部１８から送信される音声信号を音声として出力する。マイク８は、利用者等の音声を音声信号へ変換して音声処理部１８へ送信する。音声処理部１８は、第１コントローラ１０の制御に従って所定の音声処理を行い、処理後の信号をレシーバ７に出力する。音声処理部１８は、マイク８から入力された音声信号を第１コントローラ１０に出力する。
【００４２】
さらに、レシーバ７とマイク８とは、第１スイッチ１９及びアンプ６０を介して第２通信ユニット６Ｂに接続されている。
レシーバ７は、第２通信ユニット６Ｂから送信されるアナログ音声信号を音声として出力する。マイク８は、利用者等の音声をアナログ音声信号へ変換して第２通信ユニット６Ｂへ送信する。アンプ６０は、第２通信ユニット６Ｂの制御に従って音声信号を増幅し、処理後の信号をレシーバ７に出力する。アンプ６０は、マイク８から入力された信号を増幅し、処理後の信号を第２通信ユニット６Ｂに出力する。
なお、スマートフォン１は、レシーバ７に加えて、スピーカをさらに有してもよい。スマートフォン１は、レシーバ７に代えて、スピーカをさらに有してもよい。
【００４３】
ストレージ９は、プログラム及びデータを記憶する。また、ストレージ９は、第１コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４４】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理を第１コントローラ１０に実行させる。制御プログラムは、例えば、ＯＳである。アプリケーション及び制御プログラムは、第１通信ユニット６Ａ又は第２通信ユニット６Ｂによる無線通信又は記憶媒体を介してストレージ９にインストールされてもよい。
【００４５】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。例えば、設定データ９Ｚは、音声信号の音質を調整するための第１パラメータ及び第２パラメータを記憶する。ここで、第１パラメータ、第２パラメータには、それぞれ、音量調整、周波数特性の変更、自動利得制御、エコーキャンセル、ノイズ抑制を行うためのパラメータが含まれている。なお、これらのパラメータは、通常通話、イヤホン通話等の複数の通話状態それぞれにおいて別々に有していてもよい。また、録音時、録音メッセージの再生時、キー操作音等の出力時等、個別の状態それぞれにおいて別々に有していてもよい。
【００４６】
制御プログラム９Ａは、スマートフォン１を稼働させるための各種制御に関する機能を提供する。制御プログラム９Ａは、例えば、第１通信ユニット６Ａ、第２通信ユニット６Ｂ、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００４７】
第１コントローラ１０は、スマートフォン１の動作を制御して各種の機能を実現する。
【００４８】
具体的には、第１コントローラ１０は、ストレージ９に記憶されているデータを必要に応じて参照しつつ、ストレージ９に記憶されているプログラムに含まれる命令を実行することによって各種機能を実現する。第１コントローラ１０は、タッチスクリーン２Ｂ、ボタン３、加速度センサ１５等の各種検出部の検出結果に応じて、制御を変更することもある。
【００４９】
第１コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００５０】
カメラ１２は、フロントフェース１Ａに面している物体を撮影するインカメラである。カメラ１３は、バックフェース１Ｂに面している物体を撮影するアウトカメラである。
【００５１】
外部インタフェース１４は、他の装置が接続される端子である。外部インタフェース１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インタフェース１４は、Ｄｏｃｋコネクタのような専用に設計された端子でもよい。外部インタフェース１４に接続される装置には、例えば、外部ストレージ、スピーカ、通信装置が含まれる。
【００５２】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００５３】
信号処理部としてのＤＳＰ７０は、第２通信ユニット６Ｂから受信したデジタル音声信号に対して、音質改善処理を行い、第２通信ユニット６Ｂに提供する。音質改善処理は、例えば、周波数補正及びノイズ除去等の処理を含む。
【００５４】
このように構成されるスマートフォン１は、音声通話に対応する複数の通信方式の通信ユニットそれぞれを用いて通話を実現することができる。以下に、具体的な構成について説明する。
【００５５】
図６は、スマートフォン１の詳細な機能を示すブロック図である。
なお、図中で音声通信に関する音声信号の伝送経路を実線の矢印で示し、制御信号の経路を破線の矢印で示す。
【００５６】
第１通信ユニット６Ａは、第１アンテナ６１Ａと、第１ＲＦ回路部６１Ｂとを備える。
第１アンテナ６１Ａは、上述した第１の通信方式により、基地局等の外部機器と無線通信を行う。具体的には、第１アンテナ６１Ａは、基地局等の外部機器と、第１ＲＦ回路部６１Ｂにより変調される高周波信号の送受信を行う。例えば、この高周波信号は、通話に係る音声信号を含む。
【００５７】
第１ＲＦ回路部６１Ｂは、第１アンテナ６１Ａにより送受信される高周波信号を処理する。具体的には、第１ＲＦ回路部６１Ｂは、第１アンテナ６１Ａによって受信した信号を所定の復調方式で復調し、復調後の信号を第１コントローラ１０に供給する。第１ＲＦ回路部６１Ｂは、第１コントローラ１０から供給された信号を所定の変調方式で変調し、変調後の信号を第１アンテナ６１Ａに供給する。
【００５８】
例えば、第１ＲＦ回路部６１Ｂは、第１アンテナ６１Ａにおいて受信した音声信号を復調（変換）した後、所定の方式（例えば、リニアＰＣＭ方式）のデジタル音声信号を取得する。第１ＲＦ回路部６１Ｂは、この所定の方式のデジタル音声信号を第１コントローラ１０に供給する。また、第１ＲＦ回路部６１Ｂは、第１コントローラ１０から所定の方式のデジタル音声信号が供給されると、この信号を変調し、第１アンテナ６１Ａに供給する。
【００５９】
なお、第１コントローラ１０は、第１ＲＦ回路部６１Ｂから供給されるリニアＰＣＭ方式のデジタル音声信号を、μ−ｌａｗＰＣＭ方式の音声信号に変換することができる。また、第１コントローラ１０は、変換されたμ−ｌａｗＰＣＭ方式の音声信号を、第２スイッチ８０を介して短距離無線通信部９０へ供給することができる。
【００６０】
第２通信ユニット６Ｂは、第２アンテナ６２Ａと、第２ＲＦ回路部６２Ｂと、第２コントローラ６３と、を備える。
第２アンテナ６２Ａは、上述した第２の移動通信方式により、基地局等の外部機器と無線通信を行う。具体的には、第２アンテナ６２Ａは、基地局等の外部機器と、第２ＲＦ回路部６２Ｂにより変調される高周波信号の送受信を行う。例えば、この高周波信号は、通話に係る音声信号を含む。
【００６１】
第２ＲＦ回路部６２Ｂは、第２アンテナ６２Ａにより送受信される高周波信号を処理する。具体的には、第２ＲＦ回路部６２Ｂは、第２アンテナ６２Ａによって受信した信号を所定の復調方式で復調し、復調後の信号を、アンプ６０及び第１スイッチ１９を介してレシーバ７に供給する。第２ＲＦ回路部６２Ｂは、マイク８から第１スイッチ１９及びアンプ６０を介して供給された信号を所定の変調方式で変調し、変調後の信号を第２アンテナ６２Ａに供給する。
【００６２】
例えば、第２ＲＦ回路部６２Ｂは、第２アンテナ６２Ａにおいて受信した音声信号を復調（変換）することにより、所定の方式（例えば、μ−ｌａｗＰＣＭ方式）のデジタル音声信号を取得する。第２ＲＦ回路部６２Ｂは、この所定の方式のデジタル音声信号を、音量調節等の処理を施して出力する。また、第２ＲＦ回路部６２Ｂは、所定の方式のデジタル音声信号が供給されると、変調して第２アンテナ６２Ａに供給する。
【００６３】
また、第２ＲＦ回路部６２Ｂは、デジタル音声信号を第１スイッチ１９又は短距離無線通信部９０に供給する前に、ＤＳＰ７０により周波数補正及びノイズ除去等の音質改善を行う。なお、第２ＲＦ回路部６２Ｂから短距離無線通信部９０に供給されるデジタル信号は、ＤＳＰ７０を介して短距離無線通信部９０に供給されてもよく、ＤＳＰ７０を介すことなく短距離無線通信部９０に供給されてもよい。
【００６４】
上述した所定の方式のデジタル音声信号は、例えば、μ−ｌａｗＰＣＭ方式又はリニアＰＣＭ方式である。第１コントローラ１０から出力されるデジタル音声信号、第１コントローラ１０に供給されるデジタル信号、第２ＲＦ回路部６２Ｂから出力されるデジタル信号及び第２ＲＦ回路部６２Ｂに供給されるデジタル信号は、同一の方式のデジタル音声信号である。
【００６５】
スマートフォン１ａは、第１スイッチ１９に加えて、切替部としての第２スイッチ８０を備える。第２スイッチ８０は、ハードウェアで構成される。第２スイッチ８０は、以下の第１状態と第２状態とを切り替える。第１状態とは、第１音声パスからのデジタル音声信号を他の装置に伝送する状態である。第２状態とは、第２音声パスからのデジタル音声信号を他の装置に伝送する状態である。他の装置とは、例えば、後述する短距離無線通信部９０を介してスマートフォン１ａと通信を行うＢｌｕｅｔｏｏｔｈ（登録商標）ヘッドセットである。
【００６６】
上述した第１音声パスは、第１通信ユニット６Ａから出力されるデジタル音声信号の経路、及び第２通信ユニット６Ｂから出力されるデジタル音声信号の経路のうちの一方の経路である。第２音声パスは、第１通信ユニット６Ａから出力される音声信号の経路、及び第２通信ユニット６Ｂから出力される音声信号の経路のうちの他方の経路である。
【００６７】
一例として、第１通信ユニット６Ａと短距離無線通信部９０との間でデジタル音声信号が伝送されている場合に、第２通信ユニット６Ｂと短距離無線通信部９０との間でデジタル音声信号が伝送されるように伝送経路を変更するときには、第２通信ユニット６Ｂの第２コントローラ６３は、第１コントローラ１０に伝送経路の変更を要求する要求信号を送信する。第１コントローラ１０は、要求信号を受信すると、伝送経路を変更するための、すなわち、状態を切り替えるための制御信号を第２スイッチ８０に送信する。第２スイッチ８０は、制御信号を受信すると、伝送経路を変更する。
【００６８】
なお、状態を切り替える場合の一例としては、第１通信ユニット６Ａを利用して通話をしているときに、第２通信ユニット６Ｂ側に着信があったため、第１通信ユニット６Ａを利用しての通話を終了して第２通信ユニット６Ｂを利用しての通話に切り替える場合である。
【００６９】
スマートフォン１は、短距離無線通信部９０を備える。この短距離無線通信部９０は、所定の通信規格に基づいて通信を行う。その所定の通信規格は、例えば、Ｂｌｕｅｔｏｏｔｈ（登録商標）である。短距離無線通信部９０は、例えば、音声信号の入出力装置としてのヘッドセットと通信を行う。これにより、ハンズフリー通話が可能となる。
【００７０】
ハンズフリー通話を行う際、第２スイッチ８０は、第１通信ユニット６Ａによる音声通信の場合には、第１通信ユニット６Ａと短距離無線通信部９０との間でデジタル音声信号を伝送する。一方、第２通信ユニット６Ｂによる音声通信の場合には、第２スイッチ８０は、第２通信ユニット６Ｂと短距離無線通信部９０との間でデジタル音声信号を伝送する。このように、第２スイッチ８０が音声信号の伝送経路を切り替えることにより、スマートフォン１ｂは、複数の通信方式の通信ユニットそれぞれを用いてハンズフリー通話を実現できる。
【００７１】
なお、短距離無線通信部９０は、所定の方式のデジタル音声信号を伝送する。所定の方式のデジタル音声信号は、例えば、μ−ｌａｗＰＣＭ方式又はリニアＰＣＭ方式である。例えば、第１ＲＦ回路部６１Ｂ（第１コントローラ１０）及び第２ＲＦ回路部６２Ｂがμ−ｌａｗＰＣＭ方式のデジタル音声信号を伝送する場合には、短距離無線通信部９０は、第１ＲＦ回路部６１Ｂ（第１コントローラ１０）又は第２ＲＦ回路部６２Ｂとμ−ｌａｗＰＣＭ方式のデジタル音声信号を伝送する。例えば、第１ＲＦ回路部６１Ｂ（第１コントローラ１０）及び第２ＲＦ回路部６２ＢがリニアＰＣＭ方式のデジタル音声信号を伝送する場合には、短距離無線通信部９０は、第１ＲＦ回路部６１Ｂ（第１コントローラ１０）又は第２ＲＦ回路部６２ＢとリニアＰＣＭ方式のデジタル音声信号を伝送する。
【００７２】
無線端末装置１は、第２スイッチ８０により第１状態から第２状態へ切り替えるときに、第１音声パスからのデジタル音声信号及び第２音声パスからのデジタル音声信号の双方を無音の信号とする。第１状態とは、上述したように、第１音声パスからのデジタル音声信号を短距離無線通信部９０に伝送する状態である。第２状態とは、上述したように、第２音声パスからのデジタル音声信号を短距離無線通信部９０に伝送する状態である。無音の信号とは、短距離無線通信部９０と通信する、例えばヘッドセットから音が出ないようにするための信号である。すなわち、無音の信号は、ミュートの信号である。
【００７３】
図７は、デジタル音声信号を無音の信号とする場合の一例について説明するための図である。図７は、第２通信ユニット６Ｂと短距離無線通信部９０との間でデジタル音声信号が伝送されている状態から、第１通信ユニット６Ａと短距離無線通信部９０との間でデジタル音声信号が伝送される状態に切り替える場合を例示している。ここで、第２通信ユニット６Ｂと短距離無線通信部９０との間でデジタル音声信号が伝送されている状態をＡ状態とする。第１通信ユニット６Ａと短距離無線通信部９０との間でデジタル音声信号が伝送される状態をＢ状態とする。
【００７４】
まず、Ａ状態では、クロック信号（ＣＬＫ：一例として３８４ｋＨｚ）と同期信号（ＦＲＡＭＥ  ＳＹＮＣ：一例として８ｋＨｚ）とに基づいて、デジタル音声信号（ＰＣＭ＿ＩＮ、ＰＣＭ＿ＯＵＴ）が伝送される。Ａ状態からＢ状態に切り替える場合、第１コントローラ１０及び第２コントローラ６３のそれぞれからクロック信号と同期信号とを出力されないことに基づいてデジタル音声信号が伝送されないときに、第１コントローラ１０は、制御信号を第２スイッチ８０に供給して、Ａ状態からＢ状態に切り替えさせる。Ｂ状態へ切り替わった場合、クロック信号（一例として１２８ｋＨｚ）と同期信号とに基づいて、デジタル音声信号が伝送される。なお、クロック信号の周波数及び同期信号の周波数は、上述した数値に限定されることはない。
【００７５】
また、上述した一例は、Ａ状態からＢ状態への切り替えについて説明したが、Ｂ状態からＡ状態へ切り替えるときにも、デジタル音声信号が伝送されないようにする。
これにより、デジタル音声信号が伝送されないときに、第１状態から第２状態へ切り替えるので、例えば、短距離無線通信部９０に接続するヘッドセットからは、切り替えに基づくノイズ（音）が出力されないことになる。よって、無線端末装置１は、第１状態から第２状態に切り替える場合でも、ノイズに起因する音がユーザに聞かれる可能性を低くすることができる。
【００７６】
上述した実施形態では、第１状態から第２状態に切り替える場合、無線端末装置１は、デジタル音声信号を無音の信号とした。しかし、本発明は、上述した実施形態に限定されることはない。
すなわち、無線端末装置１は、第１音声パスからのデジタル音声信号を他の装置に伝送する第１状態と、第２音声パスからのデジタル音声信号を他の装置に伝送する第２状態とをハードウェアで切り替える切替部を備える。ここで、他の装置は、例えば、後述する短距離無線通信部９０を介してスマートフォン１ａと通信を行うＢｌｕｅｔｏｏｔｈ（登録商標）ヘッドセットである。また、切替部は、第２スイッチ８０である。そして、無線端末装置は、第２スイッチ８０により第１状態から第２状態へ切り替えるときに、第１音声パスからのデジタル音声信号及び第２音声パスからのデジタル音声信号の双方を予め定められた音信号とする。予め定められた音信号は、例えば単音の信号である。
【００７７】
第１状態から第２状態に切り替える場合に、第１通信ユニット６Ａは、例えば、短距離無線通信部９０に接続されるヘッドセットから予め定められた音を出力させるために、短距離無線通信部９０に対して予め定められた音信号を出力する。また、第１状態から第２状態に切り替える場合に、第２通信ユニット６Ｂは、例えば、短距離無線通信部９０に接続されるヘッドセットから予め定められた音を出力させるために、短距離無線通信部９０に対して予め定められた音信号を出力する。
【００７８】
これにより、無線端末装置１は、例えば、ヘッドセットからは音信号に基づく予め定められた音が出力され、予め定められた音によってノイズに起因する音を隠すことができる。すなわち、無線端末装置１は、第１状態から第２状態に切り替える場合でも、ノイズに起因する音がユーザに聞かれる可能性を低くすることができる。
【００７９】
本発明を完全かつ明瞭に開示するために特徴的な実施形態に関し記載してきた。しかし、添付の請求項に係る発明は、上記実施形態に限定されるべきものでなく、本明細書に示した基礎的事項の範囲内で当該技術分野の当業者が創作しうるすべての変形例及び代替可能な構成を具現化するように構成されるべきである。
【００８０】
上記実施形態では、ＤＳＰ７０により音質改善処理が行われたが、第２アンテナ６２Ａから入力される音声信号に対して、第２ＲＦ回路部６２Ｂ自身が音質改善処理を行ってもよい。この構成によれば、第２ＲＦ回路部６２Ｂの処理能力によっては、ＤＳＰ７０が不要となり、部品点数が低減される。
【００８１】
また、例えば、図５に示した各プログラムは、複数のモジュールに分割されていてもよいし、他のプログラムと結合されていてもよい。
なお、図５においてストレージ９が記憶することとしたプログラムの一部又は全部は、第１通信ユニット６Ａ又は第２通信ユニット６Ｂによる無線通信で外部装置からダウンロードされてもよい。また、図５においてストレージ９が記憶することとしたプログラムの一部又は全部は、ストレージ９に含まれる読み取り装置が読み取り可能な記憶媒体に記憶されていてもよい。また、図５においてストレージ９が記憶することとしたプログラムの一部又は全部は、外部インタフェース１４に接続される読み取り装置が読み取り可能なＣＤ、ＤＶＤ、又はＢｌｕ−ｒａｙ（登録商標）等の記憶媒体に記憶されていてもよい。
【００８２】
また、上記実施形態では、無線端末装置の一例として、スマートフォンについて説明したが、無線端末装置は、スマートフォンに限定されない。例えば、無線端末装置は、モバイルフォン、携帯型パソコン、デジタルカメラ、メディアプレイヤ、電子書籍リーダ、ナビゲータ又はゲーム機等の携帯電子機器であってもよい。また、無線端末装置は、デスクトップパソコン、テレビ受像器等の据え置き型の電子機器であってもよい。
【符号の説明】
【００８３】
１  スマートフォン（無線端末装置）
８０  第２スイッチ（切替部）
【図１】
2015019331.tif 000003
【図２】
2015019331.tif 000004
【図３】
2015019331.tif 000005
【図４】
2015019331.tif 000006
【図５】
2015019331.tif 000007
【図６】
2015019331.tif 000008
【図７】
2015019331.tif 000009